(57)【要約】  エレベータかごの懸垂および／または駆動用のベルトが、１つ以上のコード内に配置された複数のワイヤと、それらの１つ以上のコードを実質的に保持するジャケットと、を含む。各コードは、少なくとも一つの非耐荷重コアの周りに配置された複数のワイヤを含む。エレベータシステムが、エレベータかごと、１つ以上のシーブと、を含む。１つ以上のベルトが、エレベータかごを懸垂および／または駆動するように、かごに動作可能に連結されるとともに１つ以上のシーブと相互に作用する。１つ以上のベルトの各々が、１つ以上のコード内に配置された複数のワイヤと、それらの１つ以上のコードを実質的に保持するジャケットと、を含む。各コードは、少なくとも一つの非耐荷重コアの周りに配置された複数のワイヤを含む。
2014507349.tif 000002
【特許請求の範囲】
【請求項１】
１つ以上のコード内に配置された複数のワイヤと、
前記１つ以上のコードを保持するジャケットと、
を備え、
前記１つ以上のコードのうちの少なくとも一つが、少なくとも一つの非耐荷重コアの周りに配置された複数のワイヤを含むことを特徴とするエレベータかごの懸垂または駆動用ベルト。
【請求項２】
前記複数のワイヤのうち少なくとも一部が複数のストランド内に配置されるとともに、前記複数のストランドが前記１つ以上のコード内に配置されることを特徴とする請求項１に記載のベルト。
【請求項３】
前記複数のストランドの少なくとも一つが、前記少なくとも一つの非耐荷重コアを含むことを特徴とする請求項２に記載のベルト。
【請求項４】
前記複数のストランドの全てが、前記少なくとも一つの非耐荷重コアを含むことを特徴とする請求項２に記載のベルト。
【請求項５】
前記１つ以上のコードのうちの少なくとも一つにおける前記複数のストランドが、１つ以上の中心ストランドの周りに配置された複数の外側ストランドを備えることを特徴とする請求項２に記載のベルト。
【請求項６】
前記１つ以上の中心ストランドが、前記少なくとも一つの非耐荷重コアを含むことを特徴とする請求項５に記載のベルト。
【請求項７】
前記少なくとも一つの非耐荷重コアが、エラストマ材料から形成されることを特徴とする請求項１に記載のベルト。
【請求項８】
前記少なくとも一つの非耐荷重コアが、単一の要素であることを特徴とする請求項１に記載のベルト。
【請求項９】
前記少なくとも一つの非耐荷重コアが、複数の要素であることを特徴とする請求項１に記載のベルト。
【請求項１０】
前記１つ以上のコード内の前記複数のワイヤが、幾何的に安定した配列に配置されることを特徴とする請求項１に記載のベルト。
【請求項１１】
前記１つ以上のコードのうちの少なくとも一つが、複数のワイヤの外側リングによって囲まれた複数のワイヤの内側リングによってさらに囲まれた、前記少なくとも一つの非耐荷重コアを備えることを特徴とする請求項１に記載のベルト。
【請求項１２】
エレベータかごと、
１つ以上のシーブと、
前記エレベータかごを懸垂または駆動するように、前記かごに動作可能に連結されるとともに、前記１つ以上のシーブと相互作用する１つ以上のベルトと、
を備え、前記１つ以上のベルトの各々が、
１つ以上のコード内に配置された複数のワイヤと、
前記１つ以上のコードを保持するジャケットと、
を含み、
前記１つ以上のコードのうちの少なくとも一つが、少なくとも一つの非耐荷重コアの周りに配置された複数のワイヤを含むことを特徴とするエレベータシステム。
【請求項１３】
前記複数のワイヤのうち少なくとも一部が複数のストランド内に配置されるとともに、前記複数のストランドが前記１つ以上のコード内に配置されることを特徴とする請求項１２に記載のエレベータシステム。
【請求項１４】
前記複数のストランドの少なくとも一つが、前記少なくとも一つの非耐荷重コアを含むことを特徴とする請求項１３に記載のエレベータシステム。
【請求項１５】
前記複数のストランドの全てが、前記少なくとも一つの非耐荷重コアを含むことを特徴とする請求項１３に記載のエレベータシステム。
【請求項１６】
前記１つ以上のコードのうちの少なくとも一つにおける前記複数のストランドが、１つ以上の中心ストランドの周りに配置された複数の外側ストランドを備えることを特徴とする請求項１３に記載のエレベータシステム。
【請求項１７】
前記１つ以上の中心ストランドが、前記少なくとも一つの非耐荷重コアを含むことを特徴とする請求項１６に記載のエレベータシステム。
【請求項１８】
前記少なくとも一つの非耐荷重コアが、エラストマ材料から形成されることを特徴とする請求項１２に記載のエレベータシステム。
【請求項１９】
前記少なくとも一つの非耐荷重コアが、単一の要素であることを特徴とする請求項１２に記載のエレベータシステム。
【請求項２０】
前記少なくとも一つの非耐荷重コアが、複数の要素であることを特徴とする請求項１２に記載のエレベータシステム。
【請求項２１】
前記１つ以上のコード内の前記複数のワイヤが、幾何的に安定した配列に配置されることを特徴とする請求項１２に記載のエレベータシステム。
【請求項２２】
前記１つ以上のコードのうちの少なくとも一つが、複数のワイヤの外側リングによって囲まれた複数のワイヤの内側リングによってさらに囲まれた、前記少なくとも一つの非耐荷重コアを備えることを特徴とする請求項１２に記載のエレベータシステム。
【請求項２３】
少なくとも一つの非耐荷重コアと、
前記非耐荷重コアの周りに配置された複数のワイヤと、
を備えたエレベータの懸垂または駆動ベルト用のコード。
【請求項２４】
前記複数のワイヤのうち少なくとも一部が複数のストランド内に配置されることを特徴とする請求項２３に記載のコード。
【請求項２５】
前記複数のストランドの少なくとも一つが、前記少なくとも一つの非耐荷重コアを含むことを特徴とする請求項２４に記載のコード。
【請求項２６】
前記複数のストランドの全てが、前記非耐荷重コアを含むことを特徴とする請求項２４に記載のコード。
【請求項２７】
前記複数のストランドが、１つ以上の中心ストランドの周りに配置された複数の外側ストランドを備えることを特徴とする請求項２４に記載のコード。
【請求項２８】
前記１つ以上の中心ストランドが、前記少なくとも一つの非耐荷重コアを含むことを特徴とする請求項２７に記載のコード。
【請求項２９】
前記少なくとも一つの非耐荷重コアが、エラストマ材料から形成されることを特徴とする請求項２２に記載のコード。
【請求項３０】
前記少なくとも一つの非耐荷重コアが、単一の要素であることを特徴とする請求項２３に記載のコード。
【請求項３１】
前記少なくとも一つの非耐荷重コアが、複数の要素であることを特徴とする請求項２３に記載のコード。
【請求項３２】
前記複数のワイヤが、幾何的に安定した配列に配置されることを特徴とする請求項２３に記載のコード。
【請求項３３】
前記複数のワイヤが、前記少なくとも一つの非耐荷重コアを囲む複数のワイヤの内側リングと、前記複数のワイヤの内側リングを囲む複数のワイヤの外側リングと、を備えることを特徴とする請求項２３に記載のコード。
【発明の詳細な説明】
【技術分野】
【０００１】
本発明はエレベータシステムに関する。特に本発明は、エレベータの懸垂および／または駆動用の引張部材に関する。
【背景技術】
【０００２】
エレベータシステムは、エレベータかごに動作可能に連結されるとともに、昇降路に沿ってエレベータを推進するように一つ以上の綱車またはプーリによって引き回された、ロープまたはベルトなどの吊り上げ手段を利用する。吊り上げベルトは、通常、特に少なくとも部分的にジャケット材料内に配置された複数のワイヤを含む。複数のワイヤは大抵、一つ以上のストランドに配置され、そして複数のストランドが一つ以上のコードに配置される。
【０００３】
ワイヤの配置は通常、少なくとも２つの基本的な要件、すなわち破壊強度およびコード寿命を念頭において設計される。コードに使用されるスチールの総断面積はコードの破壊強度の一次決定因子である。通常、多数の小さい断面のワイヤはコストの理由により回避され、大きい断面のワイヤが疲労寿命を制限すると考えられており、従ってコード全体の寿命を制限する。さらに、最も大きいワイヤが、通常最も短い疲労寿命を有し、コード寿命を判断する際の限定要因となるため、ほぼ等しいワイヤの断面積が通常は望ましい。
【発明の概要】
【発明が解決しようとする課題】
【０００４】
一部の配置は、単一の中心ワイヤまたは一群の複数のワイヤの周りに配置された複数の外側ワイヤを利用する。一方、中心ワイヤの寸法や数によっては、ワイヤの寸法を等しくあるいはほぼ等しく保ちながらコードの最低破壊強度を保障するように、中心ワイヤの周りにごく僅かの外側ワイヤしか小型で幾何学的に安定した（外側ワイヤが中心ワイヤに関してあるいは互いに関して移動しない）配列に配置することができない。さらに、こうした多くの配置では、運転時に単一または複数の中心ワイヤが不均衡な応力レベルで動作する傾向があり、寿命を制限してしまう。
【課題を解決するための手段】
【０００５】
本発明の一態様では、エレベータかごの懸垂および／または駆動用のベルトが、１つ以上のコード内に配置された複数のワイヤと、それらの１つ以上のコードを実質的に保持するジャケットと、を含む。各コードは、少なくとも一つの非耐荷重コア（ｎｏｎ  ｌｏａｄ−ｂｅａｒｉｎｇ  ｃｏｒｅ）の周りに配置された複数のワイヤを含む。
【０００６】
代替的に本発明のこの態様またはその他の態様では、複数のワイヤのうち少なくとも一部が複数のストランド内に配置されるとともに、それらの複数のストランドが１つ以上のコード内に配置される。
【０００７】
代替的に本発明のこの態様またはその他の態様では、複数のストランドの少なくとも一つが、少なくとも一つの非耐荷重コアを含む。
【０００８】
代替的に本発明のこの態様またはその他の態様では、複数のストランドの全てが、少なくとも一つの非耐荷重コアを含む。
【０００９】
代替的に本発明のこの態様またはその他の態様では、１つ以上のコードのうちの少なくとも一つにおける複数のストランドが、１つ以上の中心ストランドの周りに配置された複数の外側ストランドを備える。
【００１０】
代替的に本発明のこの態様またはその他の態様では、１つ以上の中心ストランドが、少なくとも一つの非耐荷重コアを含む。
【００１１】
代替的に本発明のこの態様またはその他の態様では、少なくとも一つの非耐荷重コアが、エラストマ材料から形成される。
【００１２】
代替的に本発明のこの態様またはその他の態様では、少なくとも一つの非耐荷重コアが、単一の要素である。
【００１３】
代替的に本発明のこの態様またはその他の態様では、少なくとも一つの非耐荷重コアが、複数の要素である。
【００１４】
代替的に本発明のこの態様またはその他の態様では、１つ以上のコード内の複数のワイヤが、幾何的に安定した配列に配置される。
【００１５】
代替的に本発明のこの態様またはその他の態様では、１つ以上のコードのうちの少なくとも一つが、複数のワイヤの外側リングによって囲まれた複数のワイヤの内側リングによって囲まれた、少なくとも一つの非耐荷重コアを含む。
【００１６】
本発明の別の態様では、エレベータシステムが、エレベータかごと、１つ以上のシーブと、を含む。１つ以上のベルトが、エレベータかごを懸垂および／または駆動するように、かごに動作可能に連結されるとともに１つ以上のシーブと相互に作用する。１つ以上のベルトの各々が、１つ以上のコード内に配置された複数のワイヤと、それらの１つ以上のコードを実質的に保持するジャケットと、を含む。各コードは、少なくとも一つの非耐荷重コアの周りに配置された複数のワイヤを含む。
【００１７】
代替的に本発明のこの態様またはその他の態様では、複数のワイヤのうち少なくとも一部が複数のストランド内に配置されるとともに、それらの複数のストランドが１つ以上のコード内に配置される。
【００１８】
代替的に本発明のこの態様またはその他の態様では、複数のストランドの少なくとも一つが、少なくとも一つの非耐荷重コアを含む。
【００１９】
代替的に本発明のこの態様またはその他の態様では、複数のストランドの全てが、少なくとも一つの非耐荷重コアを含む。
【００２０】
代替的に本発明のこの態様またはその他の態様では、１つ以上のコードのうちの少なくとも一つにおける複数のストランドが、１つ以上の中心ストランドの周りに配置された複数の外側ストランドを備える。
【００２１】
代替的に本発明のこの態様またはその他の態様では、１つ以上の中心ストランドが、少なくとも一つの非耐荷重コアを含む。
【００２２】
代替的に本発明のこの態様またはその他の態様では、その少なくとも一つの非耐荷重コアが、エラストマ材料から形成される。
【００２３】
代替的に本発明のこの態様またはその他の態様では、その少なくとも一つの非耐荷重コアが、単一の要素である。
【００２４】
代替的に本発明のこの態様またはその他の態様では、その少なくとも一つの非耐荷重コアが、複数の要素である。
【００２５】
代替的に本発明のこの態様またはその他の態様では、１つ以上のコード内の複数のワイヤが、幾何的に安定した配列に配置される。
【００２６】
代替的に本発明のこの態様またはその他の態様では、１つ以上のコードのうちの少なくとも一つが、複数のワイヤの外側リングによって囲まれた複数のワイヤの内側リングによって囲まれた、少なくとも一つの非耐荷重コアを備える。
【００２７】
さらに本発明の別の態様では、エレベータの懸垂および／または駆動ベルトに用いられるコードが、少なくとも一つの非耐荷重コアと、その非耐荷重コアの周りに配置された複数のワイヤと、を備える。
【００２８】
代替的に本発明のこの態様またはその他の態様では、複数のワイヤのうち少なくとも一部が複数のストランド内に配置される。
【００２９】
代替的に本発明のこの態様またはその他の態様では、複数のストランドの少なくとも一つが、少なくとも一つの非耐荷重コアを含む。
【００３０】
代替的に本発明のこの態様またはその他の態様では、複数のストランドの全てが、非耐荷重コアを含む。
【００３１】
代替的に本発明のこの態様またはその他の態様では、複数のストランドが、１つ以上の中心ストランドの周りに配置された複数の外側ストランドを備える。
【００３２】
代替的に本発明のこの態様またはその他の態様では、１つ以上の中心ストランドが、少なくとも一つの非耐荷重コアを含む。
【００３３】
代替的に本発明のこの態様またはその他の態様では、少なくとも一つの非耐荷重コアが、エラストマ材料から形成される。
【００３４】
代替的に本発明のこの態様またはその他の態様では、少なくとも一つの非耐荷重コアが、単一の要素である。
【００３５】
代替的に本発明のこの態様またはその他の態様では、少なくとも一つの非耐荷重コアが、複数の要素である。
【００３６】
代替的に本発明のこの態様またはその他の態様では、複数のワイヤが、幾何的に安定した配列に配置される。
【００３７】
代替的に本発明のこの態様またはその他の態様では、複数のワイヤが、少なくとも一つの非耐荷重コアを囲んだ複数のワイヤの内側リングと、その複数のワイヤの内側リングを囲んだ複数のワイヤの外側リングと、を含む。
【図面の簡単な説明】
【００３８】
【図１Ａ】１：１ローピング配置を有する一例のエレベータシステムの概略図。
【図１Ｂ】異なるローピング配置を有する別の例のエレベータシステムの概略図。
【図１Ｃ】片持ち配置を有する別の例のエレベータシステムの概略図。
【図２】一例のエレベータベルトの断面図。
【図３】従来技術のエレベータベルト用コードの断面図。
【図４】実施例のエレベータベルト用コードの断面図。
【図５】別の実施例のエレベータベルト用コードの断面図。
【図６】別の実施例のエレベータベルト用コードの断面図。
【図７】別の実施例のエレベータベルト用コードの断面図。
【図８】別の実施例のエレベータベルト用コードの断面図。
【図９】別の実施例のエレベータベルト用コードの断面図。
【図１０】別の実施例のエレベータベルト用コードの断面図。
【図１１】別の実施例のエレベータベルト用コードの断面図。
【発明を実施するための形態】
【００３９】
図１Ａ，１Ｂ，１Ｃは、例示の牽引エレベータシステム１０の概略図を示す。本発明の理解に不要なエレベータシステム１０の特徴部（ガイドレール、安全装置など）は、ここでは議論しない。エレベータシステム１０は、昇降路１４内で１つ以上のベルト１６により動作可能に懸垂すなわち支持されたエレベータかご１２を含む。１つ以上のベルト１６がエレベータシステム１０の様々なコンポーネントの周りで引き回されるように、１つ以上のシーブ１８と相互作用する。１つ以上のベルト１６はまた、運転時のエレベータシステム１０を釣り合わせる役割を果たすとともに駆動綱車の両側のベルト張力の差を低減するように用いられる、カウンタウェイト２２に連結される。
【００４０】
シーブ１８はそれぞれ直径２０を有し、その直径は、エレベータシステム１０内のその他のシーブ１８の直径と同一でも異なっていてもよい。シーブ１８の少なくとも一つは駆動綱車である。駆動綱車は装置５０によって駆動される。装置５０による駆動綱車の移動により、駆動綱車の周りにかけられた１つ以上のベルト１６を（牽引力を通じて）駆動、移動および／または推進させる。
【００４１】
少なくとも一つのシーブ１８は、ダイバータ、デフレクタ、またはアイドラシーブである。ダイバータ、デフレクタ、またはアイドラシーブは、装置５０によって駆動されないが、エレベータシステム１０の様々なコンポーネントの周りで１つ以上のベルト１６を案内する役割を果たす。
【００４２】
一部の実施例では、エレベータシステム１０はエレベータかご１２を懸垂かつ／または駆動するように２つ以上のベルト１６を使用する。さらに、１つ以上のベルト１６の両側が１つ以上のシーブ１８と係合するか（図１Ａ，１Ｂ，または１Ｃの例のエレベータシステムに示すように）、あるいは、その１つ以上のベルト１６の片側のみが１つ以上のシーブ１８と係合するように、エレベータシステム１０が種々の構成を有してもよい。
【００４３】
図１Ａは、１つ以上のベルト１６がかご１２およびカウンタウェイト２２で終端する１：１ローピング配置を提供する。図１Ｂ，１Ｃは、異なるローピング配置を提供する。特に１Ｂ，１Ｃは、かご１２および／またはカウンタウェイト２２が、それらの上に１つ以上のベルト１６と係合する１つ以上のシーブ１８を有しており、その１つ以上のベルト１６が、一般に（例えばマシーン・ルームレス・エレベータシステムなどの）昇降路１４内または（機械室を利用するエレベータシステムの）機械室内の構造体の任意の場所で終端することができるのを示す。その配置において使用されるシーブ１８の数が特定のローピング比を決定する（例えば、図１Ｂ，１Ｃに示す２：１のローピング比または異なる比）。また図１Ｃは、所謂リュックサック型すなわち片持ち型のエレベータを提供する。本発明は図１Ａ，１Ｂ，１Ｃに示す例示のタイプ以外のエレベータシステムにも使用することができる。
【００４４】
図２は一例のベルト構造またはその設計の概略図を提供する。各ベルト１６はジャケット２６内の１つ以上のコード２４から構成される。ベルト１６のコード２４は全て同一でもよく、あるいはベルト１６内で使用される一部または全てのコード２４がその他のコード２４と異なっていてもよい。例えば、１つ以上のコード２４がその他のコード２４とは異なる構造または寸法を有する。図２に見られるように、ベルト１６は１よりも大きいアスペクト比（すなわち、ベルト厚さよりも大きいベルト幅）を有する。
【００４５】
ベルト１６は、１つ以上のシーブ１８を通過するときに、エレベータかご１２を懸垂まつ／または駆動するための強度要件を満たすことができるように十分な強度を備えながらも、低い曲げ応力を提供し、ベルト寿命要件を満たし、かつ滑らかな動作を有すべく、十分な可撓性を有するように構成される。
【００４６】
ジャケット２６は、単一の材料、複数の材料、同一または異なる材料を用いた２つ以上の層および／またはフィルムを含む、任意の適切な材料である。一つの配置では、ジャケット２６は、例えば押出しまたはモールドホイールプロセスを用いてコード２４に被覆したエラストマなどのポリマである。別の配置では、ジャケット２６は、コード２４と係合かつ／または一体化された織物でもよい。追加の配置として、ジャケット２６は前述の代替例の１つ以上の組合せでもよい。
【００４７】
ジャケット２６は実質的にコード２４をその内部に保持する。文言「実質的に保持する」とは、潜在的に付加的な安全係数を有するエレベータシステム１０での使用時に受ける荷重がベルト１６に印加された時に、コード２４がジャケット２６から引き抜かれない、引き離されない、かつ／またはジャケット２６を切り裂かないように、ジャケット２６がコード２４と十分係合することを意味する。換言すれば、エレベータシステム１０での使用時にコード２４がジャケット２６に対する本来の位置に維持される。ジャケット２６はコード２４を完全に覆う（図２に示すように）、コード２４を実質的に覆う、または、コード２４を少なくとも部分的に覆うこともあり得る。
【００４８】
図３を参照すると、各コード２４が、幾何的に安定した配列の複数のワイヤ２８を備える。任意選択的に、それらのワイヤ２８の一部または全てがストランド３０を形成し、次いでコード２４を形成してもよい。文言「幾何的に安定した配列」とは、ワイヤ２８（使用される場合は、ストランド３０）が、コード２４内の理論上の位置に概ね維持されることを意味する。換言すれば、ワイヤ２８（使用される場合は、ストランド３０）の互いに対する移動が制限される。例えば、ワイヤ２８の相対的な移動はその直径の約３０％未満に制限される。ストランド３０の相対的な移動はその直径の約５％未満に制限される。
【００４９】
図４を参照すると、実施例のコード２４が、中心ストランド３０ｂの周りに幾何的に安定した配列に配置された６つの外側ストランド３０ａを含む。単一の中心ストランド３０ｂを図４に示すが、理解されるように、一部の実施例のコード２４は、例えばその周りに外側ストランド３０ａが配置された３つの中心ストランド３０ｂ等の、２つ以上の中心ストランド３０ｂを含んでもよい。各外側ストランド３０ａは、中心ワイヤ２８ｂの周りに配置された６つの外側ワイヤ２８ｃを含む。中心ストランド３０ｂは、コア３２の周りに配置された６つの外側ワイヤ２８ａを含む。コア３２は引張方向に非耐荷重性（ｎｏｎ  ｌｏａｄ−ｂｅａｒｉｎｇ）であり、エラストマ材料、または、天然繊維や合成繊維などのその他の材料から形成される。「非耐荷重」とは、コア３２が、コード２４の全強度の約５％未満の強度を備え、かつ／または、ワイヤ２８の弾性率の少なくとも１０倍の弾性率を有することを意味する。
【００５０】
コア３２は、図４に示す単一の要素でもよく、または代替的に一群の複数の要素または紡績糸でもよい。さらに代替的に、コア３２は熱可塑性材料から形成されてもよく、その熱可塑性材料は、ベルト１６の製造時に溶解して、コード２４をベルト１６に組み込む際に外側ワイヤ２８ａの配列に浸透して付着を促進するように構成される。さらに、一部の実施例では、コード２４が実質的に従来のワイヤのみのコードと同様の直径を有するように、コード３２およびワイヤ２８が構成される。
【００５１】
図５を参照すると、一部の実施例では、図４の１つ以上の外側ストランド３０ａの中心ワイヤ２８ｂがコア３２に置き換えられる。さらに、図６を参照すると、一部の実施例では、図４の中心ストランド３０ｂがコア３２に全面的に置き換えられる。
【００５２】
コード２４の構成に非耐荷重コア３２を利用することにより、柔軟なコア３２のクッション効果に起因するコード２４のより長い疲労寿命がもたらされる。さらに、コア３２は非耐荷重性であり、コード２４の破壊強度に寄与しないため、不均衡な中心ワイヤ２８またはストランド３０の荷重の問題が回避される。さらに、コア３２が不連続となった場合、コア３２が、依然として十分にワイヤ２８がコード２４の断面形状を維持できるようにしている限りは、コード２４の破壊強度を低減しない。さらに、ワイヤ２８と比較したとき、コア３２はその疲労強度に関してより低い曲げ強さを有する。さらに、柔軟なコア３２を使用することにより、非耐荷重コア３２を利用しない構成に比べて、非常に多様な費用対効果の大きい、幾何的に安定したコード２４および／またはストランド３０の配置が可能となる。コア３２は非耐荷重性であるため、コア３２の寸法がコード２４の破壊強度やコード２４の疲労寿命の決定に影響を与えることなく、コア３２の周りに様々なワイヤ２８の配置を適応させるようにコア３２の寸法を変えることができる。
【００５３】
図７〜１１を参照しながら更なる例示の構成について記載する。図７，８は、１５本のワイヤ２８の外側リング３６によって囲まれた９本のワイヤ２８の内側リング３４によって囲まれた、非耐荷重コア３２で構成されたコード２４を示す。これは０＋９＋１５配列と呼ばれる。コア３２の寸法および（例えば、ワイヤ２８の内側リング３４および外側リング３６の異なった撚り長さおよび／または対向するねじりを用いた）コードの構成により、外側リング３６のどのワイヤ２８も内側リング３４内の位置へは移動しない。図７に示すように、コア３２は一体成形のコア３２でもよく、あるいは図８に示すように、コア３２は複数のコア要素３８から構成されてもよい。
【００５４】
別の例示の構成を図９に示す。図示の実施例では、コア３２およびワイヤ２８は、１３本のワイヤ２８の外側リング３６によって囲まれた７本のワイヤ２８の内側リング３４の、０＋７＋１３配列に対応するように寸法が調整される。図１０の実施例では、コア３２およびワイヤ２８は、１４本のワイヤ２８の外側リング３６によって囲まれた８本のワイヤ２８の内側リング３４の、０＋８＋１４配列に対応するように寸法が調整される。前述の実施例と同様、コア３２の寸法および（例えば、ワイヤ２８の内側リング３４および外側リング３６の異なった撚り長さおよび／または対向するねじりを用いた）コードの構成により、外側リング３６のどのワイヤ２８も内側リング３４内の位置へは移動しない。さらに、コア３２は一体成形のコア３２でもよく、あるいは複数のコア要素３８から構成されてもよい。
【００５５】
別の実施例を図１１に示す。この実施例では、コア３２およびワイヤ２８は、１４本のワイヤ２８の外側リング３６によって囲まれた９本のワイヤ２８の内側リング３４に対応するように寸法が調整されて、０＋９＋１４配列を生じさせる。この配置では、ベルト１６の構築時にジャケット２６材料の浸透を増加させるように、外側リング３６のワイヤ２８が一定の間隔で離間される。
【００５６】
実施例では、前述の構成を可能にするように、コード２４を形成するワイヤ２８は同様の直径を有することが望ましい（必ずしも同一の直径を有する必要はない）。本発明の目的上、文言「同様の直径」とは、各ワイヤ２８の直径が、ワイヤの平均径から約＋／−１０％までの範囲で異なりうることを意味する。
【００５７】
コード２４に使用されるワイヤ２８は、コード２４がエレベータシステム１０の要件を満たすことを可能にする任意の適切な材料から作られる。例えば、ワイヤ２８は引抜き鋼で作られる。さらにワイヤ２８は、母材と異なる材料で付加的に被覆されてもよく、それにより、ワイヤの腐食、摩耗、および／またはフレッチング等が低減または防止され（例えば、亜鉛、真鍮、または非金属材料などにより）、かつ／または、ジャケット材料とコード表面との間の保持力および／または相互作用が促進される（例えば、有機接着剤、エポキシ、またはポリウレタンなどにより）。
【００５８】
使用される構成に関わらず、コード２４の形成のためにワイヤ２８および／またはストランド３０を撚り合わせることにより、コード２４の前述の幾何的安定性に寄与することができるとともに、コード２４へのその他の利点を提供することができる。撚り合わせの方法（およびバリエーション）は様々な可能性を有する。例えば、ワイヤ２８の複数のリングを有するストランド３０またはコード２４は、それらの複数のリングの各々における複数のワイヤ２８が同じ方向に撚り合わされたワイヤ２８を有してもよく（パラレル・レイ（ｐａｒａｌｌｅｌ  ｌａｙ）と呼ばれる）、あるいは、複数のリングのうちの一つが、それらの複数のリングのうちの別の一つのリング内のワイヤ２８とは異なる方向に撚り合わされたワイヤ２８を有してもよい（クロス・レイ（ｃｒｏｓｓ  ｌａｙ）と呼ばれる）。また、複数のストランド３０ａを有するコード２４は、同じ撚り／レイ、または異なる撚り／レイを有する複数のストランド３０ａを用いてもよい。コード２４内の可能なレイに加えて、ベルト１６は各様に撚り合わされた複数のコードを含みうる。例えば、ベルト１６は、右回り撚りのワイヤ２８および／またはストランド３０ａを有する１つ以上のコード２４と、左回り撚りのワイヤ２８および／またはストランド３０ａを有する１つ以上のコード２４と、を有してもよい。さらに、ワインディングまたはクロージング作業が単一のステップで行われてもよく、あるいは一連のステップで行われてもよい。さらに、一部の実施例では、ワイヤ２８および／またはストランド３０を互いに撚り合わせることなく、コード２４が形成されてもよい。
【００５９】
上述していないが、上記の種々のコード配列が代替的に一つ以上の溶接ワイヤを含んでもよい。溶接ワイヤは概ねコード内の主ワイヤよりも小さく、たとえあったとしても、コードの引張荷重をほとんど支持しない（例えば、主ワイヤの平均引張荷重の約１２％未満の引張荷重を支持）。
【００６０】
ごく限られた数の実施例に関して本発明を詳述したが、本発明がこうした開示の実施例に限定されないことが容易に理解されるであろう。寧ろ、ここでは記載していない任意の数の変形、変更、置換、もしくは同等の配置が本発明の精神および範囲に応じて組み込まれるように、本発明が修正されうる。さらに、本発明の種々の実施例について説明したが、本発明の態様は、記載の実施例の一部のみを含みうることを理解されたい。したがって、本発明は、上記の記載によって限定されるものとして見るのではなく、付記の特許請求の範囲によってのみ限定されるものである。
【図１Ａ】
2014507349.tif 000003
【図１Ｂ】
2014507349.tif 000004
【図１Ｃ】
2014507349.tif 000005
【図２】
2014507349.tif 000006
【図３】
2014507349.tif 000007
【図４】
2014507349.tif 000008
【図５】
2014507349.tif 000009
【図６】
2014507349.tif 000010
【図７】
2014507349.tif 000011
【図８】
2014507349.tif 000012
【図９】
2014507349.tif 000013
【図１０】
2014507349.tif 000014
【図１１】
2014507349.tif 000015
【国際調査報告】
2014507349.tif 000016
2014507349.tif 000017